(57)【要約】【課題】入力信号の種類が正しく把握できない場合、最適な画質補正処理を行うことができず、高品位な画質が得られない。【解決手段】入力信号の種類を検出する検出手段を有する構成とし、信号の種類に応じた処理を行う。例えば、広帯域ＤＶＤ信号の場合は０〜７ＭＨｚの輪郭補正を行い、狭帯域のアナログ放送信号の場合は０〜４ＭＨｚの輪郭補正を行う。また、ノイズの少ないＤＶＤ信号の場合は応答速度を重視して高速応答駆動を行い、ノイズの多いアナログ放送信号の場合はノイズ抑圧を重視して通常の駆動を行う。【選択図】図１
2005051675.tif 000002
【特許請求の範囲】
【請求項１】
映像信号の種類を識別するための検出手段と、映像信号を補正するための補正手段と、映像信号に基づいて表示素子を駆動する駆動手段と、映像を表示するための表示素子を備えた表示装置であって、
前記検出手段より出力された検出結果に応じて、前記補正手段による補正方法が変化することを特徴とする表示装置。
【請求項２】
前記補正手段は、映像の輪郭補正を行うものであることを特徴とする請求項１に記載の表示装置。
【請求項３】
前記検出手段は、ゴースト除去基準信号の有無を検出するものであることを特徴とする請求項１に記載の表示装置。
【請求項４】
映像信号の種類を識別するための検出手段と、映像信号に基づいて表示素子を駆動する駆動手段と、映像を表示するための表示素子と、前記表示素子の応答速度を変化させるための応答速度制御手段を備えた表示装置であって、
前記検出手段より出力された検出結果に応じて、前記応答速度制御手段が表示素子の応答速度を変化させることを特徴とする表示装置。
【請求項５】
前記表示素子は液晶表示素子であることを特徴とする請求項４に記載の表示装置。
【請求項６】
前記検出手段は、ゴースト除去基準信号を検出するものであることを特徴とする請求項４に記載の表示装置。
【請求項７】
映像信号の種類を識別するための検出手段と、映像信号を補正するための補正手段と、映像信号に基づいて表示素子を駆動する駆動手段と、映像を表示するための表示素子と、前記表示素子の応答速度を変化させるための応答速度制御手段を備えた表示装置であって、前記検出手段より出力された検出結果に応じて、前記補正手段による補正方法が変化し、さらに前記応答速度制御手段により表示素子の応答速度が変化することを特徴とする表示装置。
【請求項８】
前記補正手段は、映像の輪郭補正を行うものであることを特徴とする請求項８に記載の表示装置。
【請求項９】
前記表示素子は液晶表示素子であることを特徴とする請求項８に記載の表示装置。
【請求項１０】
前記検出手段は、ゴースト除去基準信号を検出するものであることを特徴とする請求項８に記載の表示装置。
【請求項１１】
基準信号を生成するための基準信号生成手段と、入力された映像信号から所望の信号を抽出するための抽出手段と、複数の信号の大小関係を比較するための比較手段と、前記映像信号を少なくとも１フィールド期間保持する保持手段とを備え、前記映像信号が前記抽出手段と前記基準信号生成手段に入力され、前記抽出手段が前記保持手段に接続され、前記基準信号生成手段と前記保持手段が前記比較手段に接続され、前記比較手段より検出結果信号が出力されることを特徴とする検出装置。
【請求項１２】
基準信号を生成するための基準信号生成手段と、入力された映像信号から所望の信号を抽出するための抽出手段と、複数の信号の大小関係を比較するための比較手段と、前記映像信号を少なくとも１フィールド期間保持する保持手段と、積分手段を備え、前記映像信号が前記抽出手段と前記基準信号生成手段に入力され、前記抽出手段が前記保持手段に接続され、前記基準信号生成手段と前記保持手段が前記比較手段に接続され、前記比較手段より出力された比較結果信号が前記積分手段により積分され、前記積分手段より検出結果信号が出力されることを特徴とする検出装置。
【請求項１３】
前記抽出手段は、垂直ブランク期間中の任意のラインを抽出するものであることを特徴とする請求項１１または請求項１２に記載の検出装置。
【請求項１４】
前記積分手段は、少なくとも２フィールドの期間にわたり積分するものであることを特徴とする請求項１１または請求項１２に記載の検出装置。
【発明の詳細な説明】
【技術分野】
【０００１】
本発明は、表示装置の制御技術に関し、信号の種類に応じた信号処理や表示素子の駆動を行うことで、高品位な画質を実現する場合において好適な技術に関する。
【背景技術】
【０００２】
テレビ受像機において、画質をより良いものにするための画質補正処理は必須の技術である。画質補正処理としては、例えば輪郭補正処理があるが、これは映像信号の輪郭部の周波数特性を向上させ、映像の鮮鋭感を出すためのものである。
【０００３】
輪郭補正処理は、入力された映像信号にフィルタリングして映像信号の高周波成分を抽出し、これを元の映像信号に加算することにより実現するものであるが、その際使用するフィルタの周波数特性によって、輪郭補正効果も変わる。
【０００４】
ところで地上波アナログ信号（以後ＲＦ信号と呼ぶ）とＤＶＤ機器に代表される映像再生機器の映像出力信号（以後ＤＶＤ信号と呼ぶ）を比較した場合、ＲＦ信号は約４ＭＨｚの周波数帯域であるが、ＤＶＤ信号は約７ＭＨｚまでの周波数帯域を有する。
【０００５】
そのため、ＲＦ信号とＤＶＤ信号とで、使用するフィルタの周波数特性も最適化する必要があり、入力された信号がＲＦ信号であるか、ＤＶＤ信号であるかを判別する必要がある。
【０００６】
従来はこの判別を、どの入力端子から信号が入力されたかという情報に基づいて行っていた。例えば、チューナーからの入力信号であれば、ＲＦ信号と判断し、外部入力端子からの信号であればＤＶＤ信号と判断していた。この様子を図９に示した。図９において、９０１は入力端子、９０２はマイコン、９０３は複数の信号から１つを選択するためのセレクタ、９０４は映像信号を補正するための補正手段、９０５は表示素子を駆動する駆動手段、９０６は表示素子である。従来は、どの入力端子から信号が入力されているかをマイコンで判断し、その結果を補正手段に出力していた（例えば特許文献１参照）。
【０００７】
ところで近年、ＣＲＴに変わって液晶表示素子を受像機の表示バイスとして用いるケースが増えてきた。液晶表示素子はその構造的制約から、表示応答速度がＣＲＴや有機ＥＬ素子に比べて遅く、数ｍｓから数十ｍｓである。表示応答速度の遅さは動画表示時のボケの原因となるため、最近ではオーバードライブなどと呼ばれる、高速応答駆動がなされることがある。従来は高速応答駆動を、映像信号の種類に依存せず一律に行っていた。
【特許文献１】特開平９−３７２８４号公報
【発明の開示】
【発明が解決しようとする課題】
【０００８】
しかし、外部入力端子からの入力信号であっても、ＤＶＤ信号である保証はない。例えば、ＤＶＤ録画機によって、ＲＦ信号を録画し、これを再生した場合、外部入力端子にはＲＦ信号が入力されることになる。そのため、従来のように、マイコンで入力信号を識別する方法では、チューナーからの信号であるか、ビデオ入力端子からの信号であるかの判別しかできなかった。
【０００９】
したがって、ビデオ入力端子にＲＦ信号を録画した映像信号を入力された場合、受像機側ではＤＶＤ信号として認識され、ＤＶＤ信号用の画質補正処理が行われていた。すると、ＲＦ信号に対して不適切な画質補正処理がなされることになり、画質補正処理部が持つ本来の性能を発揮させることができないという問題があった。
【００１０】
また、液晶表示素子に対して高速応答駆動を行う場合、動画視認性は向上するがノイズも目立つという欠点があった。ノイズ成分は１フレームごとに変化するため、表示素子の応答速度が遅い場合は、ノイズの変化速度に表示素子の応答速度が追いつかないが、逆に、表示素子の応答速度が十分に速い場合は、ノイズが目立つことになるためである。
【課題を解決するための手段】
【００１１】
本願第１の発明は、外部より映像信号を入力するための入力端子と、映像信号の種類を識別するための検出手段と、映像信号を補正するための補正手段と、映像信号に基づいて表示素子を駆動する駆動手段と、映像を表示するための表示素子を備えた表示装置において、前記検出手段より出力された検出結果に応じて、前記補正手段による補正方法が変化する様にしたものである。
【００１２】
また、本願第２の発明は、外部より映像信号を入力するための入力端子と、映像信号の種類を識別するための検出手段と、映像信号に基づいて表示素子を駆動する駆動手段と、映像を表示するための表示素子と、前記表示素子の応答速度を変化させるための応答速度制御手段を備えた表示装置において、前記検出手段より出力された検出結果に応じて、前記応答速度制御手段が表示素子の応答速度を変化させる様にしたものである。
【００１３】
また本願第３の発明は、外部より映像信号を入力するための入力端子と、映像信号の種類を識別するための検出手段と、映像信号を補正するための補正手段と、映像信号に基づいて表示素子を駆動する駆動手段と、映像を表示するための表示素子と、前記表示素子の応答速度を変化させるための応答速度制御手段を備えた表示装置において、前記検出手段より出力された検出結果に応じて、前記補正手段による補正方法が変化し、さらに前記応答速度制御手段により表示素子の応答速度が変化する様にしたものである。
【００１４】
また本願第４の発明は、外部より映像信号を入力するための入力端子と、基準信号を生成するための基準信号生成手段と、前記入力端子から入力された映像信号から所望の信号を抽出するための抽出手段と、複数の信号の大小関係を比較するための比較手段と、入力された信号を少なくとも１フィールド期間保持する保持手段と、比較結果を出力するための出力端子を備え、前記入力端子が前記抽出手段と前記基準信号生成手段に接続され、前記抽出手段が前記保持手段に接続され、前記基準信号生成手段と前記保持手段が前記比較手段に接続され、前記比較手段より出力された比較結果信号が前記出力端子より出力される様にしたものである。
【００１５】
また本願第５の発明は、外部より映像信号を入力するための入力端子と、基準信号を生成するための基準信号生成手段と、前記入力端子から入力された映像信号から所望の信号を抽出するための抽出手段と、複数の信号の大小関係を比較するための比較手段と、入力された信号を少なくとも１フィールド期間保持する保持手段と、さらに積分手段と積分結果を出力するための出力端子も備え、前記入力端子が前記抽出手段と前記基準信号生成手段に接続され、前記抽出手段が前記保持手段に接続され、前記基準信号生成手段と前記保持手段が前記比較手段に接続され、前記比較手段より出力された比較結果信号が前記積分手段により積分され、前記積分手段からの出力信号が前記出力端子より出力される様にしたものである。
【発明の効果】
【００１６】
本願第１の発明によれば、信号の種類を検出する手段を有する構成にすることにより、入力された映像信号の種類を把握することができ、前記入力された映像信号の種類に最適な補正処理を行うことができるため、高品位な画質が得られる。
【００１７】
また本願第２の発明によれば、入力された映像信号の種類に応じて表示素子の応答速度を変化させることで、ノイズが多く含まれている信号に対してはノイズを目立ちにくくし、ノイズがあまり含まれていない映像信号に対しては動画表示時のボケを抑えることができる。
【００１８】
また本願第３の発明によれば、本願第２の発明の効果に加え、輪郭補正やノイズ低減処理も同時に可能となり、ノイズの抑制と高品位な画質の両立が可能となる。
【００１９】
また本願第４の発明によれば、ＧＣＲ信号を検出することで、入力された映像信号がＲＦ信号であることを把握することができる。
【００２０】
また本願第５の発明によれば、本願第４の発明の効果に加え、検出結果を積分することにより、検出信号のばたつきを抑えることが可能となる。
【発明を実施するための最良の形態】
【００２１】
以下、本発明の実施の形態について、図１から図９を用いて説明する。
【００２２】
（実施の形態１）
図１は本願第１の発明を実施するための回路構成例を示したものである。図１において、１０１は映像信号を入力するための入力端子、１０２は映像信号から所望の信号を検出するための検出手段、１０３は映像信号を補正処理するための補正手段、１０４は映像信号に基づいて表示素子を駆動するための駆動手段、１０５は検出手段１０２から出力される検出信号、１０６は表示素子である。入力端子１０１は検出手段１０２及び補正手段１０３に接続され、検出手段１０２は補正手段１０３に接続されている。また補正手段１０３は駆動手段１０４に接続されており、補正手段１０４は表示素子１０６に接続されている。
【００２３】
入力端子１０１より入力された映像信号は検出手段１０２及び補正手段１０３に入力される。入力端子１０１に入力される信号は、ＲＦ信号でもよいし、ＤＶＤ信号でも何でもよい。
【００２４】
検出手段１０２は入力された映像信号から映像の種類を識別する。そして識別結果を検出信号１０５として補正手段１０３に出力する。補正手段１０３は検出手段１０２からの検出信号１０５により、入力された映像信号の種類を識別する。そして、前記検出結果１０５に基づいて、映像信号の種類に最適な補正処理を行う。
【００２５】
ここで、補正処理が輪郭補正処理である場合を例にあげて説明する。
【００２６】
検出結果１０５がＲＦ信号であった場合、入力された映像信号の信号帯域は０ＭＨｚ〜４ＭＨｚ以下である可能性が高い。よって０ＭＨｚ〜４ＭＨｚの信号に対してのみ輪郭補正処理を行うようにする。また検出結果がＤＶＤ信号である場合は、入力された映像信号の信号帯域は０ＭＨｚ〜７ＭＨｚまである可能性が高い。そのため０ＭＨｚ〜７ＭＨｚまでの信号に対して輪郭補正処理を行うようにする。この様子をフローチャートとして図６に示した。このようにすることで、ＲＦ信号には０ＭＨｚ〜４ＭＨｚまでの周波数に対して輪郭補正処理が行わる。従って４ＭＨｚを超える周波数帯域に混入したノイズ成分を強調することがなく良質な画質が得られる。またＤＶＤ信号に対しては、０ＭＨｚ〜７ＭＨｚ信号に対して輪郭補正処理が施されるため、０ＭＨｚ〜４ＭＨｚまでの信号にしか輪郭補正処理をかけない場合に比べ、より鮮鋭な画質を得ることができる。
【００２７】
なお、ここで挙げた４ＭＨｚ及び７ＭＨｚは一例として挙げたもので、本発明はこれに限定するものではない。
【００２８】
また補正処理は、画像の周波数特性を補正し鮮鋭な映像を得るための輪郭補正処理でもよいし、コントラストを映像に応じて変更しダイナミックな映像を得るための階調補正処理でも良い。
【００２９】
上記の過程を経て、補正手段１０３により補正された映像信号は駆動手段１０４に入力される。そして駆動手段１０４は入力された映像信号に基づいて表示素子１０６を駆動し、表示素子１０６に映像が表示される。
【００３０】
以上述べたように、本願第１の発明によれば、入力信号の種類を検出手段によって判別することが可能となり、これにより前記入力信号の種類に最適な画質補正処理を施すことが可能となり、画一的に画質補正処理を施す場合に比べてより高品質な画質が得られることになる。
【００３１】
なお表示素子は、ＣＲＴ、ＬＣＤ、無機ＥＬ素子、有機ＥＬ素子、ＦＥＤ、ＳＥＤなど何でもよい。
【００３２】
（実施の形態２）
次に、本願第２及び第３の発明について述べる。
【００３３】
図２は本願第２の発明を実施するための回路構成例を示したものである。図２において、２０１は表示素子の応答速度を変化させるための応答速度制御手段である。また、１０１〜１０６までは本願第１の発明と同様であるので説明は省略する。応答速度変更手段２０１は入力端子１０１と駆動手段１０４に接続されており、検出結果１０５に応じて駆動手段に対し表示素子の応答速度を変更するように補正信号を出力する。駆動手段１０４は応答速度変更手段２０１からの信号を受けて、応答速度を変更するための信号処理を行う。
【００３４】
ここでは例として、液晶表示素子を挙げる。
【００３５】
一般に液晶表示素子の応答速度は数ｍｓ〜数十ｍｓである。これは動画表示を行うには、十分な応答速度ではなく、動画表示を行った際に表示がボケてしまうという問題がある。そのため最近では、液晶表示素子の応答速度を向上させるための駆動（以後、高速応答駆動と呼ぶ）が行われることがある。高速応答駆動については、本願発明の説明において重要ではないため、説明は割愛する。
【００３６】
一方で、応答速度が遅いことによりノイズ成分に対しては鈍感になるため、ノイズが目立ちにくくなるという利点がある。ところが高速応答駆動を行うと、動画を表示する際にボケて見える不具合は改善するが、同時にノイズ成分に対しても敏感に応答するようになるため、ノイズが目立ちやすくなるという問題がある。映像信号に含まれるノイズ成分は、一般的にＤＶＤ信号よりもＲＦ信号の方が多いため、ＲＦ信号はＤＶＤ信号よりノイズ低減処理を強く行う必要がある。
【００３７】
そこで本願発明では、入力信号の種類に応じて液晶表示素子に対して高速応答駆動を行うかどうかを切り替えるようにして、ＲＦ信号入力時にはノイズを目立たなくし、ＤＶＤ信号入力時には動画表示時のボケを低減する様にしたものである。
【００３８】
図６に本願発明による処理のフローチャートを示した。このように、入力された映像信号がＲＦ信号である場合は通常駆動を行ない、入力信号がＤＶＤ信号である場合は高速応答駆動を行うようにする。
【００３９】
これにより、ノイズ成分の含有量が多いＲＦ信号が入力された場合は、通常の駆動を行うことができ、ノイズ成分を目立たなくすることができる。またノイズ成分の含有量が少ないＤＶＤ信号が入力された場合は、高速応答駆動を行うことができ、動画表示時のボケを目立たなくすることができる。
【００４０】
また本願第３の発明は、本願第２の発明に加え補正手段も有する構成としたものである。
【００４１】
図３に本願第３の発明を実施するための回路構成例を示した。
【００４２】
図２との違いは、補正手段１０３が入力端子１０１と応答速度変更手段２０１との間に接続されている点である。
【００４３】
ここで補正手段を輪郭補正手段である場合を考えると、本願第２の発明による効果に加えて、輪郭補正手段により画質補正処理も施すことが可能となり、ノイズを低減しながらより高品位な映像を得ることが可能となる。
【００４４】
あるいは補正手段がノイズ低減手段であってもよい。これにより本願第２の発明による効果に加え、ノイズ低減手段によるノイズ低減効果も得られることから、よりノイズが少ない映像が得られることになる。
【００４５】
あるいは補正手段がノイズ低減手段と輪郭補正手段を兼ね備えていてもよい。これにより本願第２の発明による効果に加え、ノイズ低減手段によるノイズ低減効果と輪郭補正手段による画質改善効果も得られることから、よりノイズが少なく高品位な映像が得られることになる。
【００４６】
あるいは補正手段がノイズ低減手段と輪郭補正手段と階調補正手段を兼ね備えていてもよい。これにより本願第２の発明による効果に加え、ノイズ低減手段によるノイズ低減効果と輪郭補正手段による画質改善効果と階調補正手段による階調補正効果も得られることから、よりノイズが少なく高品位な映像が得られることになる。
【００４７】
なお表示素子は、ＣＲＴ、ＬＣＤ、無機ＥＬ素子、有機ＥＬ素子、ＦＥＤ、ＳＥＤなど何でもよい。
【００４８】
以上、本願第２及び第３の発明の実施例について述べた。
【００４９】
（実施の形態３）
次に、本願第４及び第５の発明による実施例について説明する。
【００５０】
まず図４に本願第４の発明による回路構成例を示した。
【００５１】
図４において、４０１は映像信号を入力するための入力端子、４０２は入力端子４０１より入力された映像信号から所望の信号を抽出するための抽出手段、４０３は基準信号を生成するため基準信号生成手段、４０４は４０２からの入力信号を一定期間保持するための保持手段、４０５は基準信号生成手段４０３と保持手段４０４からそれぞれ入力された信号の大小関係を比較するための比較手段、４０６は比較手段４０５からの出力信号を外部へ出力するための出力端子である。
【００５２】
入力端子４０１より入力された映像信号は、抽出手段４０２及び基準信号生成手段４０３に入力される。抽出手段４０２は、入力された映像信号の中から所望の映像信号を抽出する。映像信号には映像のほかに識別信号が重畳されている。例えば放送局からの信号であれば、ゴースト除去用のゴースト除去基準信号（以後、ＧＣＲ信号と呼ぶ）と呼ばれる信号が垂直帰線期間中に重畳されている。あるいは、ビデオデッキからの信号にはビデオＩＤと呼ばれる信号が重畳されている場合もある。抽出手段はこれら映像信号以外の信号を抽出するものである。
【００５３】
ここで、ＧＣＲ信号を抽出する場合を例に挙げる。ＧＣＲ信号はゴーストを除去するためのもので放送局側にて付加された信号であり、これを検出することでＲＦ信号であるかどうかを判断することができる。
【００５４】
ＧＣＲ信号は垂直帰線期間中の第１８ラインと第２８１ラインに付与されている。図７の（ａ）〜（ｈ）に示すとおり、８フィールド期間で一巡する周期的な信号である。
【００５５】
ここで、図７（ａ）の点線で示したレベルを基準値（これをＴｈとする）として、Ｔｈよりも高いレベルをＨ、低いレベルをＬとすると、最初の１〜４フィールド目までは、図７の（ａ）〜（ｄ）に示すとおり、１フィールドごとにＨ、Ｌ、Ｈ、Ｌと繰り返し、残りの５〜８フィールド目までは、図７の（ｅ）〜（ｈ）に示すとおり１フィールドごとにＬ、Ｈ、Ｌ、Ｈと繰り返す信号となっている。抽出した信号を図８に示した。図８において、８０１が抽出したＧＣＲ信号である。このように８フィールド周期でＨ、Ｌ、Ｈ、Ｌ、Ｌ、Ｈ、Ｌ、Ｈと繰り返している。
【００５６】
そのため、ＧＣＲ信号を検出するためには、１フィールド毎にＨ、Ｌ、Ｈ、Ｌ、Ｌ、Ｈ、Ｌ、Ｈ・・・と繰り返す信号であることを検出すればよい。
【００５７】
前記ＧＣＲ信号であると判断するには、ＧＣＲ信号と同一シーケンスの基準信号を前記基準信号生成手段４０３にて生成し、さらに前記比較手段４０５にて両者のＸＮＯＲをとればよい。このようにして前記比較手段４０４からの出力信号は前記出力端子４０６より外部に出力される。
【００５８】
以上のようにすれば、ＧＣＲ信号を検出することができ、入力信号がＲＦ信号であることを把握することが可能となる。
【００５９】
次に本願第５の発明は、前記比較手段４０４と前記出力端子４０６の間に積分手段を挿入したものである。図５に本願第５の発明による検出装置の回路構成例を示した。図５において、４０１〜４０６は本願第４の発明と同様であるので、説明は割愛する。５０１は積分手段である。積分手段５０１は比較手段４０５と出力端子４０６の間に接続されている。本願第４の発明では、比較手段４０４からの出力がダイレクトに前記出力端子４０６より出力されるため、誤検出が発生した場合、出力にばたつきが発生する恐れがある。
【００６０】
そこで本願第５の発明では、前記比較手段４０４からの出力信号を前記積分手段５０１により積分するようにしたものである。例えば８フィールド期間積分し、８フィールド期間中すべてにおいてＧＣＲ信号が含まれていると判断された場合に限り、出力端子から検出信号を出力する様にする。これにより誤検出があった場合でも出力結果がばたつくことはなく、安定した検出結果が得られることになる。
【００６１】
以上、本願第４及び第５の発明の説明について述べた。
【産業上の利用可能性】
【００６２】
本発明は、入力された映像信号の種類に応じて最適な処理を行うことができ、高品位な画質を実現する技術として有用である。
【図面の簡単な説明】
【００６３】
【図１】本発明第１による表示装置のブロック図
【図２】本発明第２による表示装置のブロック図
【図３】本発明第３による表示装置のブロック図
【図４】本発明第４による表示装置のブロック図
【図５】本発明第５による表示装置のブロック図
【図６】本発明第２または第３による処理のフローチャート
【図７】ＧＣＲ信号の説明図
【図８】抽出したＧＣＲ信号の模式図
【図９】従来例の説明図
【符号の説明】
【００６４】
１０１    入力端子
１０２    検出手段
１０３    補正手段
１０４    駆動手段
１０５    検出信号
１０６    表示素子
２０１    応答速度可変手段
４０１    入力端子
４０２    抽出手段
４０３    基準信号生成手段
４０４    保持手段
４０５    比較手段
４０６    出力端子
５０１    積分手段
８０１    抽出したＧＣＲ信号の模式図
【図１】
2005051675.tif 000003
【図２】
2005051675.tif 000004
【図３】
2005051675.tif 000005
【図４】
2005051675.tif 000006
【図５】
2005051675.tif 000007
【図６】
2005051675.tif 000008
【図７】
2005051675.tif 000009
【図８】
2005051675.tif 000010
【図９】
2005051675.tif 000011